(57)【要約】      （修正有）【課題】表示関連では有効に利用されているとは言えない光ファイバーを簡単な方法で有効活用できるようにする分光表示用に使用する方式を提供する。【解決手段】（１）既存の他の表示に装着しその表現力を高めるもの、（２）新しい表示システムとして考えるもの、の２種である。（１）は、既存製品の光源部分にファイバー結束部を取り付ける機構とする。先端処理部と組み合わせ任意の表示を考える製品としてのもの、あるいはユーザが先端部表示を工夫できるセットとしても提供できる。（２）は、電力供給部、光源部、ファイバー結束部、ファイバー先端処理部の４つの部分からなる表示システムとする。又光源には、自由に発光色を設定変更可能な「光り絵の具」と呼ぶ新機能素材を使用できる。これにより、あらゆる業界で新しい表示システムとして採用できる。【選択図】図１
2015114557.tif 000002
【特許請求の範囲】
【請求項１】
光ファイバーを単一光源の分光表示用に使用する方式全般。
【請求項２】
既存の表示装置へ簡単に装着でき、表示形態を多様化させた方式。
【請求項３】
新しい表示システムとして４部から構成し、そのそれぞれの応用能力によりあらゆる分野への展開を可能とした方式。ファイバー結束部および先端処理部はユーザが種々選択考案可能なセットとしての使用も可能とした方式。
【請求項４】
個々の部分の組み合わせによっても新しい機能製品となりうる方式。
【請求項５】
光源の色機能を簡単に設定、簡単に変更させることのできる「光り絵の具」と名づけた機能部品と色を設定する道具としての「光りパレット」。
【発明の詳細な説明】
【技術分野】
【０００１】
表示装置
【背景技術】
【０００２】
従来ＬＥＤ等小型光源を使用した表示装置は、その発光部分を見るのみで変化に乏しく、光源よりも精細な表現ができず、有効活用されていなかった。
【先行技術文献】
【特許文献】
【０００３】
【特許文献１】特開2013-218037
【発明の概要】
【発明が解決しようとする課題】
【０００４】
より精密な表示、表現力の機能拡大を可能とする。新しい表示機能を付加。誰でも簡単に操作できるものとする。新たな表示媒体として多くの分野で使用できるものとし多方面への応用が可能とする。
【課題を解決するための手段】
【０００５】
以下の４つの部分から構成されるものとする。
１  電力供給部
着脱可能な基本モジュールにより拡大縮小が簡単に行える。盤状、紐状等の形態がある。
２  光源部
電力供給部に着脱可能。コントローラ付属のものとないものとがある。
３  ファイバー結束部
光源の光りを取り込む複数本のファイバーをまとめる。まとめるファイバーは、単一太さのみのもの、太さの異なるものがある。光源部に装着しやすい機構とする。
４  ファイバー先端処理部
図形あるいは文字として表示するための固定物への留め用あるいは自由空間への表示のための支持用機能をもたせた部分。光源部への装着を簡単におこなえる。
これにより、ファイバーを使用した新しい表示機が実現可能となる。既存の表示機へは、ファイバー結束と先端処理部を取り付けることにより、表示機能を向上させる。コントローラ付の光源では表示形式に種々の機能付加が行える。本発明の特徴的な機能として、フルカラー光源をコントロールして実現する「光り絵の具」がある。別に用意された、「光りパレット」により光源の色を決定し、記憶することにより、思いのままの色光源として使用できる。色設定は何回でも変更できる。このように基本モジュールを用意することにより、大きさ、絵柄を自由に決定できる。またファイバー結束部と先端処理部は部品をセット販売もおこない、ユーザーが自由に考案組み立てられるようにもなっている。
【発明の効果】
【０００６】
１  単調であった表示に変化を与え、新しい表現が可能となる。
2  精密表現の可能性から、あらゆる業界での使用の可能性があり、産業界での活用が期待される。
３  既存の表示装置光源にも簡単に取り付けられ、機能付加が行えることから多くの一般ユーザの活用が期待される。
４  新機能の部品（「光り絵の具」）により新しい光りによる表示の概念がうまれ新たな発展が期待される。
【図面の簡単な説明】
【０００７】
【図１】表示システムの全体構成図
【図２】電力供給部
【図３】光源部。
【図４】ファイバー結束部
【図５】ファイバー先端固定、支持を行う先端処理部
【図６】光り絵の具と光りパレット
【発明を実施するための形態】
【０００８】
１  電力供給部はモジュール構造となっている。簡単に拡張可能で種々の大きさに調整可能。光源部を簡単着脱できる。特殊な場合として、電力供給部と光源部および先端処理部を小型に一体化した形をとるものがある（装飾用品等）。
２  光源部は表示素子単独のもの、機能付加のコントローラ付のものがある。特殊な「光り絵の具」機能を備えたものもある。  
３  ファイバー結束部は光源の光りを複数本のファイバーに取り込むための簡単に取り付けられるようになっている。既存製品の光源にも簡単に取り付けられものがある。ファイバー太さは単一のもの、複数種類を混合したものがある。
４  先端処理部はファイバーを希望する表面位置に固定するための取り付け具等を準備。空間での表示のための支持機構を準備。
【実施例】
【０００９】
実施例１  既存ＬＥＤ表示への装着
光源のＬＥＤを包み込み簡単にとりつけられるものとなっている。ＬＥＤ発光部に密着させたファイバーを先端部固定の機構部に導き、任意の絵柄、文字などを表示させる。空間への自由配置による表示も可能となっている。図５
実施例２  汎用モジュールによる多方面利用可能な表示装置
電力供給と表示基盤、光源部、ファイバー結束部、ファイバー先端固定または支持部・・・から構成される。図１
Ａ  電力供給と表示基盤部。図２
盤状と紐状のものがある。
盤状のものはその表面に光源部を装着。光源部への電力供給を行う。表示の基盤でもあり、その大きさは簡易接続で柔軟に拡大縮小可能。
紐状のものは任意箇所へ光源部を取り付けて使用する。
Ｂ  ＬＥＤ等光源部
電力供給部へ装着。単純点灯のみのもの、コントローラと一体組み込みで各種機能を付加したものとがある。
Ｃ  分光ファイバー部
複数本のファイバーをまとめ、光源部に密着装着されるもの。ファイバー太さは単一あるいは複数種をまとめて使用する。
Ｄ  ファイバー固定あるいは支持支点部
分光ファイバー部のファイバーを平面あるいは固定立体物の上に希望する絵柄や文字に表現表示するための先端固定機構、また空間への自由発光をおこなうための支持機構からなる。図４
実施例３  空間への自由配置
線状になった電力供給部に、ＬＥＤ等光源部と分光ファイバー部およびファイバー固定あるいは支持支点部を一体化したものを簡易取り付け機構により装着し、自由空間への表示を可能とする。これは既存ＬＥＤ表示の新形態となるものである。図５
実施例４  光り絵の具による光源
フルカラーＬＥＤにコントローラを付加し自由な色を発光する光源とすることが可能。この光源を使用することでＬＥＤの作り出せる範囲の色による多色表示が行える。この機能を備えた光源を「光り絵の具」と名づける。色の変更は何回でも可能。色つけを行う機能モジュールを「光りパレット」として用意している。図６
実施例５  特殊
光源は種々考えられ、取り付け方法を考案することで応用展開の可能性がある。一例として、太陽光を光源とするものがある。
【産業上の利用可能性】
【００１０】
１  電飾分野
ＬＥＤ等小型光源を用いた表示機分野には精細な表示機能での多くの応用が期待される。
２  各種装飾品分野
光りの効果を加えた小物装飾品として新しい市場を形成することが期待される。
３  玩具、知育教材分野
表現能力の豊富さから種々の新しい考案がされることが予想される。
４  細密表示の要求されるあらゆる業界での表示処理分野
発光機能のある精細表示は各種分野への展開が期待される。
【符号の説明】
【００１１】
１  電力供給部
2  光源
【図１】
2015114557.tif 000003
【図２】
2015114557.tif 000004
【図３】
2015114557.tif 000005
【図４】
2015114557.tif 000006
【図５】
2015114557.tif 000007
【図６】
2015114557.tif 000008